(57)【要約】【課題】特別な事前設定なしに、特定キーのキー入力に基づき着信時に点灯する照明を素早く消灯すること。【解決手段】本発明の携帯端末は、キー入力を受け付けるキー入力部と、前記キー入力に基づく機能を実行する制御部と、着信時に点灯する照明部と、を備え、前記制御部は、着信中、前記キー入力部が特定キーのキー入力を受け付けると、当該携帯端末の電源はオンのまま、前記照明部を消灯する。【選択図】図１
2012065183.tif 000002
【特許請求の範囲】
【請求項１】
携帯端末であって、
キー入力を受け付けるキー入力部と、
前記キー入力に基づく機能を実行する制御部と、
着信時に点灯する照明部と、を備え、
前記制御部は、
前記着信中に前記キー入力部が特定キーのキー入力を受け付けると、当該携帯端末の電源はオンのまま、前記照明部の少なくとも一部を消灯する、
携帯端末。
【請求項２】
周囲光の明るさを検出する検出部を備え、
前記制御部は、
前記検出部が検出した周囲光の明るさに基づき、周囲が暗いか否かを判定し、
着信中に周囲が暗いと判定した場合、前記キー入力部が特定キーのキー入力を受け付けると前記照明部の少なくとも一部を消灯し、
着信中に周囲が暗くないと判定した場合、前記照明部を消灯しない、
請求項１に記載の携帯端末。
【請求項３】
当該携帯端末は、更に、表示部を備え、
前記照明部は、前記表示部および前記キー入力部の少なくとも一方についての照明である第１照明部と、前記第１照明部以外の照明である第２照明部とを含み、
前記制御部は、前記特定のキーのキー入力を受け付けると、前記第２照明部を前記第１照明部よりも優先して消灯する、
請求項１に記載の携帯端末。
【請求項４】
前記特定キーのキー入力は、前記特定キーに対する複数のキー入力から構成されており、
前記制御部は、前記複数の操作のうち、第１のキー入力があった場合には、前記第２照明部を消灯し、前記第１のキー入力の後に行われる第２のキー入力があった場合には、前記第１照明部を消灯する、
請求項３に記載の携帯端末。
【請求項５】
当該携帯端末は、前記特定キーが当該携帯端末の筐体によって覆われていない第１の状態と、前記特定キーが当該携帯端末の筐体によって覆われている第２の状態とをとり、
前記制御部は、
前記照明部が消灯された後、当該携帯端末が前記第１の状態から前記第２の状態に遷移すると、
当該携帯端末の電源をオフとする、
請求項１に記載の携帯端末。
【請求項６】
前記制御部は、
当該携帯端末の電源が前記携帯端末の状態の遷移によってオフされる場合、当該電源がオフになる前に応答メッセージを発信元に送信する、
請求項４に記載の携帯端末。
【請求項７】
当該携帯端末は、発信元と通話可能な機器であり、
前記制御部は、
通話の着信中、前記キー入力部が特定キーのキー入力を受け付けると前記照明部の少なくとも一部を消灯し、
前記照明部の少なくとも一部が消灯された後、前記キー入力部が通話機能を割り当てられたキー入力を受け付けると、
前記照明部の少なくとも一部を消灯したまま、当該携帯端末を通話可能な状態とする、
請求項１に記載の携帯端末。
【請求項８】
前記特定キーは、当該特定キーに対して特定の操作を行うと、当該携帯端末の電源をオフにすることが可能なキーである、
請求項１から７までのいずれか１項に記載の携帯端末。
【請求項９】
当該携帯端末は、携帯電話機であり、
前記特定キーは終話キーである、
請求項８に記載の携帯端末。
【発明の詳細な説明】
【技術分野】
【０００１】
本発明は、携帯端末及び携帯電話機に関する。
【背景技術】
【０００２】
特許文献１では、マナーモード設定中の携帯端末において、携帯端末の位置、その周囲の明るさ、音量を検出し、自動的に画面のバックライト輝度を制限する技術が開示されている。特許文献２では、携帯端末を開ける速度を検出し、その速度が低いほど画面の輝度を低下させる技術が開示されている。また、携帯端末の一例である、一般的な携帯電話機では、着信中に終話ボタンを押すことで着信音を停止し、通話を保留する機能が搭載されている。
【先行技術文献】
【特許文献】
【０００３】
【特許文献１】特開２００７−２５８８９４号公報
【特許文献２】特開２００９−２１８８４８号公報
【発明の概要】
【発明が解決しようとする課題】
【０００４】
例えば、映画館、イベント会場、会議室などでは、携帯端末の画面のバックライトやキーライトの点灯が周囲の迷惑になるため、着信中に短時間で携帯端末の照明をオフにする必要がある。しかしながら、特許文献１では、マナーモード設定が事前に設定されていないと、電話の着信中に電源オフのキー操作を行っても、数秒間の待機時間の後、電源オフモードに切り替わり、さらに数秒間かかかって着信を報知する照明や着信音が消える。したがって、電源オフのキー操作を行っても、すぐに照明が消灯されない。これでは、例えば、映画館などの周囲が暗い公共の場所では周囲に迷惑がかかってしまう。なお、 電源オフのキー操作を行うと即座に電源オフモードに切り替わるように構成することもできるが、この場合、誤って電源オフのキーが押下された場合にまでユーザの意図に反して電源がオフにされてしまうため、非実用的である。
【０００５】
また、特許文献２では、現実の使用状況を考えると、ユーザはあわてて携帯端末をすぐに開けてしまい、表示画面のバックライトを高輝度で点灯してしまう可能性が高い。また、一般的な携帯電話機では、終話ボタンの操作などによって着信音は停止できるが、表示画面のバックライトは点灯状態のままであり、表示画面のバックライトを素早く消灯する方法がない。
【０００６】
本発明の目的は、特別な事前設定なしに、特定キーのキー入力に基づき着信時に点灯する照明を素早く消灯することができる携帯端末および携帯電話機を提供することである。
【課題を解決するための手段】
【０００７】
本発明の一態様に係る携帯端末として、キー入力を受け付けるキー入力部と、前記キー入力に基づく機能を実行する制御部と、着信時に点灯する照明部と、を備え、前記制御部は、前記着信中に前記キー入力部が特定キーのキー入力を受け付けると、当該携帯端末の電源はオンのまま、前記照明部の少なくとも一部を消灯する、携帯端末を提供する。
この構成により、特別な事前設定なしに、特定キーのキー入力に基づき着信時に点灯する照明を素早く消灯することができる。
【０００８】
本発明の他の態様として、上記携帯端末は、周囲光の明るさを検出する検出部を備え、前記制御部は、前記検出部が検出した周囲光の明るさに基づき、周囲が暗いか否かを判定し、着信中に周囲が暗いと判定した場合、前記キー入力部が特定キーのキー入力を受け付けると前記照明部の少なくとも一部を消灯し、着信中に周囲が暗くないと判定した場合、前記照明部を消灯しない。
この構成により、照明を消す必要がない状況で、照明部を誤って消灯することを防ぐことができる。
【０００９】
本発明の他の態様として、上記携帯端末は、更に、表示部を備え、前記照明部は、前記表示部および前記キー入力部の少なくとも一方についての照明である第１照明部と、前記第１照明部以外の照明である第２照明部とを含み、前記制御部は、前記特定のキーのキー入力を受け付けると、前記第２照明部を前記第１照明部よりも優先して消灯する。
この構成により、ユーザの操作に必要な照明よりも他の照明を優先的に消灯することができるので、特定キーを誤って操作してしまった場合であってもユーザの利便性を確保することができる。
【００１０】
本発明の他の態様として、上記携帯端末は、前記特定キーのキー入力は、前記特定キーに対する複数のキー入力から構成されており、前記制御部は、前記複数の操作のうち、第１のキー入力があった場合には、前記第２照明部を消灯し、前記第１のキー入力の後に行われる第２のキー入力があった場合には、前記第１照明部を消灯する。
この構成により、ユーザの操作に必要な照明よりも他の照明を先に消灯することができるので、特定キーを誤って操作してしまった場合であってもユーザの利便性を確保することができる。
【００１１】
本発明の他の態様として、上記携帯端末は、前記特定キーが当該携帯端末の筐体によって覆われていない第１の状態と、前記特定キーが当該携帯端末の筐体によって覆われている第２の状態とをとり、前記制御部は、前記照明部が消灯された後、当該携帯端末が前記第１の状態から前記第２の状態に遷移すると、当該携帯端末の電源をオフとする。
この構成により、着信に応答しないことが明らかな場合には電源をオフすることにより、更に着信を受けてしまうことを防止することができる。
【００１２】
本発明の他の態様として、上記携帯端末では、前記制御部は、当該携帯端末の電源が前記携帯電話端末の状態の遷移によってオフされる場合、当該電源がオフになる前に応答メッセージを発信元に送信する。
この構成により、迅速に発信元に携帯端末の状況を知らせることができる。
【００１３】
本発明の他の態様として、上記携帯端末は、発信元と通話可能な機器であり、前記制御部は、通話の着信中、前記キー入力部が特定キーのキー入力を受け付けると前記照明部の少なくとも一部を消灯し、前記照明部の少なくとも一部が消灯された後、前記キー入力部が通話機能を割り当てられたキー入力を受け付けると、前記照明部の少なくとも一部を消灯したまま、当該携帯端末を通話可能な状態とする。
この構成により、携帯端末の照明を照らすと周囲に迷惑になる場所でも、通話を行うことができる。
【００１４】
本発明の他の態様として、上記携帯端末では、前記特定キーは、当該特定キーに対して特定の操作を行うと、当該携帯端末の電源をオフにすることが可能なキーである。
【００１５】
更に、本発明の他の態様として、上記携帯端末は、携帯電話機であり、前記特定キーは終話キーである。
この構成により、とっさの着信時に照明を消灯しようとする場合に、ユーザが連想しやすいキーを操作することによって消灯することができる。
【発明の効果】
【００１６】
本発明に係る携帯端末および携帯電話機によれば、特別な事前設定なしに、特定キーのキー入力に基づき着信時に点灯する照明を素早く消灯することができる。
【図面の簡単な説明】
【００１７】
【図１】（ａ）携帯電話機１０の開き状態を示す図、（ｂ）携帯電話機１０の閉じ状態を示す図
【図２】携帯電話機１０の機能ブロック図
【図３】携帯電話機１０の照明制御フロー図
【発明を実施するための形態】
【００１８】
以下、本発明の実施の形態について、図面を参照して説明する。
【００１９】
図１（ａ）、（ｂ）および図２を参照して本発明の一実施の形態に係る携帯端末として、携帯電話機１０について説明する。図１（ａ）は、携帯電話機１０の開き状態を示す図であり、図１（ｂ）は、携帯電話機１０の閉じ状態を示す図である。図２は、携帯電話機１０の機能ブロック図である。
【００２０】
携帯電話機１０は、第１筐体である下筐体２０と、第２筐体である上筐体４０と、ヒンジ部５０とを備える。携帯電話機１０は、第１筐体である下筐体２０と、第２筐体である上筐体４０とがヒンジ部５０を介して開閉可能な折りたたみ式の携帯端末である。
【００２１】
携帯時には、図１（ｂ）に示すように、携帯電話機１０は、上筐体４０と下筐体２０とが互いに重なった閉じ状態で用いられる。本実施の形態では、携帯電話機１０が閉じ状態のとき、後述するキー入力部１１２はキー入力ができない状態である。例えば、通話時、文字や数字、電話番号を入力する場合、図１（ａ）に示すように、携帯電話機１０は、閉じ状態から、下筐体２０に対して上筐体４０を、中心軸線Ｘを中心に矢印Ｐ方向に回動させた開き状態で用いられる。本実施の形態では、携帯電話機１０が開き状態のとき、後述するキー入力部１１２はキー入力可能な状態である。
【００２２】
下筐体２０は、上筐体４０に対してヒンジ部５０を介して、中心軸線Ｘを中心として相対的に回動する。なお、中心軸線Ｘは、上筐体４０および下筐体２０の幅方向に略平行である。
【００２３】
下筐体２０は、一方の面（操作面）２０Ａに、複数のキーから構成されるキー入力部１１２と、通話用のマイク２５とを有する。一方の面２０Ａは、携帯電話機１０が閉じ状態の時に、上筐体４０の一方の面（表示面）４０Ａと対向する面である。
【００２４】
キー入力部１１２は、複数のキーから構成され、各キーはユーザのキー入力を受け付ける。複数のキーには、携帯電話機１０の各種機能が割り当てられており、例えば、「終話」キー３１、「通話」キー３２、および「数字」キーが含まれる。本実施の形態では、携帯電話機１０が閉じ状態のとき、キー入力部１１２はキー入力ができない状態であり、携帯電話機１０が開き状態のとき、キー入力部１１２はキー入力可能な状態である。
【００２５】
「終話」キー３１を長押し操作すると、携帯電話機１０の電源がオフとなる。本実施の形態では、「終話」キー３１が「電源」キーを兼ねている。また、着信中、ユーザが携帯電話機１０の電源がオフとならない比較的短い時間、「終話」キー３１を押下操作すると、携帯電話機１０は「保留応答」の状態となる。また、携帯電話機１０が「保留応答」の状態で、「通話」キー３２のキー押下操作が検出されると、携帯電話機１０は通話可能な状態となる。
【００２６】
キー入力部１１２の背面には、ＬＥＤ等で構成されるキーバックライト１１６Ｂが設けられておりキー入力部１１２の全体又は一部をキー入力部１１２の背面から照らす。
【００２７】
通話用のマイク２５は、ユーザの音声が入力される。なお、入力されたユーザの音声は、制御部１１５により音声処理されて、無線通信部１１１を介して通話相手の携帯電話機等へ送信される。
【００２８】
また、筐体開閉検出部１１４の一部を構成する磁気センサ１１４Ｂが、下筐体２０のヒンジ部５０寄り端部に設けられている。磁気センサ１１４Ｂは、携帯電話機１０が閉じ状態のとき、磁石１１４Ａと対向し、磁石１１４Ａから出射される磁力の変化を検出する。
【００２９】
なお、筐体の開閉を検出する手段は磁気センサを用いるものには限られない。例えば、ヒンジ部５０内に筐体が開いたときに接続され、かつ、筐体が閉じた時には切断されるような信号線を備え、その信号線に電流が流れたか否かを監視するなどの方法でも開閉を検知することができる。
【００３０】
上筐体４０は、下筐体２０に対してヒンジ部５０を介して、中心軸線Ｘを中心として相対的に回動する。
【００３１】
上筐体４０は、一方の面（表示面）４０Ａに、表示部４１と、通話用のレシーバ４３と周囲光検出部１１３とを有する。一方の面４０Ａは、携帯電話機１０が閉じ状態の時に、下筐体２０の一方の面（操作面）２０Ａと対向する面である。
【００３２】
上筐体４０は、他方の面（表示面）４０Ｂに、内蔵するＬＥＤ等が点灯することで、着信などをユーザに報知するイルミネーション１１７Ａが設けられている。イルミネーション１１７Ａは、後述するイルミネーション制御部１１７により、点灯レベルや、点灯・消灯のタイミングなどが制御される。
【００３３】
ここで、イルミネーション１１７Ａがユーザに報知する着信とは、電話の着信、メールの着信などが含まれる。
【００３４】
表示部４１は、液晶ディスプレイ（Ｌｉｑｕｉｄ  Ｃｒｙｓｔａｌ  Ｄｉｓｐｌａｙ：ＬＣＤ）で構成され、その背面には 、ディスプレイバックライト１１６Ａが設けられている。ディスプレイバックライト１１６Ａは、表示部４１を背面から照らす。ディスプレイバックライト１１６Ａは、後述するバックライト制御部１１６により、点灯レベルや、点灯・消灯のタイミングなどが制御される。
【００３５】
通話用のレシーバ４３では、内蔵されるスピーカ１１８Ａから制御部１１５により音声処理された通話相手の音声が出力される。また、スピーカ１１８Ａから、通話相手の音声の他、着信音制御部１１８により制御された着信音が出力される。
【００３６】
筐体開閉検出部１１４の一部を構成する磁石１１４Ａが、上筐体４０のヒンジ部５０寄り端部に設けられている。磁石１１４Ａは、携帯電話機１０が閉じ状態のとき、磁気センサ１１４Ｂと対向する。
【００３７】
周囲光検出部１１３は、内蔵する光検出素子により周囲光のレベルを検出し、その検出結果を後述する制御部１１５へ出力する。周囲光検出部１１３としては、例えば一般に用いられている照度センサを利用することができるので、詳細な説明は省略する。
【００３８】
図２を参照して、携帯電話機１０の機能について説明する。図２は、携帯電話機１０の機能ブロック図である。携帯電話機１０は、無線通信部１１１と、キー入力部１１２と、周囲光検出部１１３と、筐体開閉検出部１１４と、制御部１１５と、バックライト制御部１１６と、ディスプレイバックライト１１６Ａと、キーバックライト１１６Ｂと、イルミネーション制御部１１７と、イルミネーション１１７Ａと、着信音制御部１１８と、スピーカ１１８Ａと、応答メッセージ生成部１１９とを備える。
【００３９】
キー入力部１１２は、ユーザのキー入力を受け付け、受け付けたキー入力に対応する信号を制御部１１５に出力する。例えば、着信中に、キー入力部１１２が、携帯電話機１０の電源がオフにならない比較的短い時間、「終話」キー３１を押下するキー入力を受け付けると、制御部１１５が携帯電話機１０を「保留応答」状態とする。
【００４０】
周囲光検出部１１３は、内蔵する光検出素子により、周囲光のレベルを検出して制御部１１５に出力する。周囲光検出部１１３で検出された周囲光のレベルは、制御部１１５にて周囲が暗いか否かの判定に用いられる。
【００４１】
筐体開閉検出部１１４は、磁気センサ１１４Ｂが検出する磁石１１４Ａの磁力の変化を制御部１１５へ出力する。
【００４２】
応答メッセージ生成部１１９は、制御部１１５からの指示に基づき、発信元へ送信するメッセージを生成し、無線通信部１１１を介して、発信元へ応答メッセージを送信する。メッセージの内容としては、例えば、現在は着信に応じることができないため、後で連絡し直して欲しい旨の連絡などが考えられる。また、応答メッセージは音声によるものに限るものではなく、メールなど文章によるものであってもよい。
【００４３】
制御部１１５は、キー入力部１１２が受け付けたキー入力に基づき、そのキーに割り当てられた携帯電話機１０の各種機能を実行する。
【００４４】
制御部１１５は、周囲光検出部１１３で検出された周囲光のレベルから、周囲が暗いか否かを判定し、その判定結果を、バックライト制御部１１６、イルミネーション制御部１１７、及び着信音制御部１１８に出力する。
【００４５】
制御部１１５は、筐体開閉検出部１１４から出力された検出結果に基づき、携帯電話機１０が閉じ状態であるか否かを判定し、その判定結果を、バックライト制御部１１６、イルミネーション制御部１１７、及び着信音制御部１１８に出力する。
【００４６】
また、制御部１１５は、携帯電話機１０の状態に応じて、応答メッセージ生成部１１９に発信元へ送信するメッセージを生成するよう指示する。本実施の形態に係る携帯電話機１０では、後述する「特定の条件１」でイルミネーション１１７Ａが消灯されると、制御部１１５は、応答メッセージ生成部１１９に電話の発信元へ送信するメッセージを生成するよう指示する。
【００４７】
イルミネーション制御部１１７は、通常、着信直後にはイルミネーション１１７Ａを点灯する制御を行うが、制御部１１５から、着信中に、条件（１）「周囲が暗い」という判定結果、条件（２）特定キーである「終話」キー３１の１回のキー押下操作、及び条件（３）「携帯電話機１０が開き状態」という判定結果、の３つの条件（「特定の条件１」）が入力されると、イルミネーション１１７Ａを消灯する制御を行う。これにより、携帯電話機１０は、特別な事前設定なしに、着信中に周囲を照らすイルミネーション１１７Ａを迅速に消灯することができるので、映画館などの通常暗い場所でも、周囲に迷惑をかけることを少なくすることができる。なお、「終話」キー３１が携帯電話機１０を開かなくては押せない位置にある場合には、条件（３）「携帯電話機１０が開き状態」の条件の判定は省略しても良い。以下の説明でも同様である。
【００４８】
着信音制御部１１８は、通常、着信直後には、着信音をスピーカ１１８Ａを介して出力する制御を行うが、制御部１１５から、着信中に、条件（１）「周囲が暗い」という判定結果、条件（２）特定キーである「終話」キー３１の１回のキー押下操作、及び条件（３）「携帯電話機１０が開き状態」という判定結果、の３つの条件（「特定の条件１」）が入力されると、スピーカ１１８Ａからの着信音の出力を停止する。つまり、イルミネーション１１７Ａが消灯されると、着信音もスピーカ１１８Ａから出力されなくなる。
【００４９】
バックライト制御部１１６は、通常、着信直後には、ディスプレイバックライト１１６Ａ及びキーバックライト１１６Ｂを点灯する制御を行うが、着信中に、条件（１）「周囲が暗い」という判定結果、条件（３）「携帯電話機１０が開き状態」という判定結果、及び、条件（４）特定キーである「終話」キー３１の２回のキー押下操作、の３つの条件（「特定の条件２」）が入力されると、ディスプレイバックライト１１６Ａ及びキーバックライト１１６Ｂを消灯する制御を行う。なお、バックライト制御部１１６が、着信中に、「特定の条件２」のもと、ディスプレイバックライト１１６Ａ及びキーバックライト１１６Ｂを消灯する制御を行ったあと、特定キーである「終話」キー３１のキー入力が行われても、ディスプレイバックライト１１６Ａ及びキーバックライト１１６Ｂは消灯されたままである。
【００５０】
応答メッセージ生成部１１９は、条件（１）「周囲が暗い」という判定結果、条件（２）特定キーである「終話」キー３１の１回のキー押下操作、及び条件（３）「携帯電話機１０が開き状態」という判定結果、の３つの条件（「特定の条件１」）の下、着信中にイルミネーション１１７Ａが消灯されると、制御部１１５からの指示に基づき、保留応答のメッセージを生成し、発信元へ送信する。
【００５１】
次に、図３を参照して、携帯電話機１０の制御フローについて説明する。図３は携帯電話機１０の制御フロー図である。
【００５２】
分岐ＳＴ３０１では、制御部１１５は、周囲光検出部１１３で検出された周囲光のレベルから、周囲が暗いか否かを判定する。制御部１１５が、周囲が暗いと判定した場合（ＹＥＳの場合）、分岐ＳＴ３０３遷移し、制御部１１５が、周囲が暗くないと判定した場合（ＮＯの場合）、ステップＳＴ３０５へ遷移する。
【００５３】
分岐ＳＴ３０３では、制御部１１５は、着信があるか否かを判定する。制御部１１５が、着信があると判定した場合（ＹＥＳの場合）、ステップＳＴ３０７遷移し、制御部１１５が、着信がないと判定した場合（ＮＯの場合）、分岐ＳＴ３０３へ戻る。
【００５４】
ステップＳＴ３０５では、キー入力部１１２が受け付けたキー入力に基づく携帯電話機１０の機能が実行される。
【００５５】
ステップＳＴ３０７では、キー入力部１１２がキー入力待ちとなる。そして、分岐ＳＴ３０９へ遷移する。
【００５６】
分岐ＳＴ３０９では、制御部１１５は、キー入力部１１２が特定キーである「終話」キー３１のキー入力を受け付けたか否かを判定する。制御部１１５が、キー入力部１１２が「終話」キー３１のキー入力を受け付けたと判定した場合（ＹＥＳの場合）、ステップＳＴ３１１遷移し、制御部１１５が、キー入力部１１２が「終話」キー３１のキー入力を受け付けていないと判定した場合（ＮＯの場合）、ステップＳＴ３１３へ遷移する。
【００５７】
ステップＳＴ３１１では、イルミネーション制御部１１７は、イルミネーション１１７Ａを消灯する制御を行い、かつ、応答メッセージ生成部１１９は、保留応答の音声メッセージを発信元へ送信する。そして、分岐ＳＴ３１５へ遷移する。
【００５８】
ステップＳＴ３１３では、キー入力部１１２が受け付けたキー入力に基づく携帯電話機１０の機能が実行される。
【００５９】
分岐ＳＴ３１５では、制御部１１５は、キー入力部１１２が特定キーである「終話」キー３１のキー入力を受け付けたか否かを判定する。制御部１１５が、キー入力部１１２が「終話」キー３１のキー入力を受け付けたと判定した場合（ＹＥＳの場合）、ステップＳＴ３１７遷移し、制御部１１５が、キー入力部１１２が「終話」キー３１のキー入力を受け付けていないと判定した場合（ＮＯの場合）、ステップＳＴ３１９へ遷移する。
【００６０】
ステップＳＴ３１７では、バックライト制御部１１６は、ディスプレイバックライト１１６Ａ及びキーバックライト１１６Ｂを消灯する制御を行う。そして、分岐ＳＴ３２１へ遷移する。
【００６１】
ステップＳＴ３１９では、キー入力部１１２が受け付けたキー入力に基づく携帯電話機１０の機能が実行される。
【００６２】
分岐ＳＴ３２１では、制御部１１５は、筐体開閉検出部１１４から出力された検出結果に基づき、携帯電話機１０が閉じ状態であるか否かを判定する。制御部１１５が、携帯電話機１０が閉じ状態であると判定した場合（ＹＥＳの場合）、ステップＳＴ３２３遷移し、制御部１１５が、携帯電話機１０が閉じ状態でないと判定した場合（ＮＯの場合）、分岐ＳＴ３２５へ遷移する。
【００６３】
ステップＳＴ３２３では、応答メッセージ生成部１１９が、発信元に応答することができない旨の音声メッセージを自動的に生成し送信する。そして、ステップＳＴ３２７へ遷移する。
【００６４】
分岐３２５では、制御部１１５は、キー入力部１１２が「通話」キー３２のキー押下操作を受け付けたか否かを判定する。ＹＥＳの場合、ステップＳＴ３２９遷移し、ＮＯの場合、ステップＳＴ３３１へ遷移する。
【００６５】
ステップＳＴ３２７では、制御部１１５は、自動的に携帯電話機１０の電源をオフにする。
【００６６】
ステップＳＴ３２９では、全照明、すなわちディスプレイバックライト１１６Ａ、キーバックライト１１６Ｂ、及びイルミネーション１１７Ａが消えた状態で、通話が開始される。これは、照明が点灯していると周囲に迷惑がかかるが、多少声を出して通話することが可能な場所で有効である。
【００６７】
ステップＳＴ３３１では、携帯電話機１０は保留応答の状態を継続する。
【００６８】
以上、本実施の形態に係る携帯電話機１０では、特別な事前設定をしなくても、ユーザは、着信に対して、特定キーである「終話」キー３１を押すという単純かつ自然な動作で、イルミネーション１１７Ａ、ディスプレイバックライト１１６Ａ、及びキーバックライト１１６Ｂを素早く消灯することができる。特に、着信が電話の着信である場合、ユーザは、電話の着信に対して「終話」キー３１を押すという単純かつ自然な動作でイルミネーション１１７Ａ、ディスプレイバックライト１１６Ａ、及びキーバックライト１１６Ｂを素早く消灯することができる。
【００６９】
なお、本実施の形態に係る携帯電話機１０では、誤動作防止のため、条件（１）「周囲が暗い」という判定結果を、イルミネーション１１７Ａ、ディスプレイバックライト１１６Ａ及びキーバックライト１１６Ｂを消灯する制御の一つの条件としているが、これに限らない。バックライト制御部１１６は、着信中に、制御部１１５から、「特定の条件１」のうち、条件（２）特定キーである「終話」キー３１の１回のキー押下操作、及び条件（３）「携帯電話機１０が開き状態」という判定結果、２つの条件が入力されると、イルミネーション１１７Ａ、ディスプレイバックライト１１６Ａ及びキーバックライト１１６Ｂを消灯する制御を行っても良い。ただし、周囲が明るい場合など、必ずしも消灯の必要がない場合が考えられる。そのため、条件（１）「周囲が暗い」という条件も含めて消灯すべきか否かを評価する方が、イルミネーション１１７Ａ、ディスプレイバックライト１１６Ａ及びキーバックライト１１６Ｂを誤って消灯してしまうことを防ぐことができる。
【００７０】
なお、本実施の形態に係る携帯電話機１０では、バックライト制御部１１６は、制御部１１５から上述した「特定の条件２」が入力されると、ディスプレイバックライト１１６Ａ及びキーバックライト１１６Ｂを消灯する制御を行うが、これに限らない。バックライト制御部１１６は、イルミネーション１１７Ａの点灯制御と同様、着信中に制御部１１５から上述した「特定の条件１」が入力されると、ディスプレイバックライト１１６Ａ及びキーバックライト１１６Ｂを消灯する制御を行っても良い。これにより、携帯電話機１０は、特別な事前設定なしに、着信中に周囲を照らすイルミネーション１１７Ａだけでなく、ディスプレイバックライト１１６Ａ及びキーバックライト１１６Ｂも迅速に消灯することができるので、映画館などの通常暗い場所でも、周囲に迷惑をかけることを少なくすることができる。
【００７１】
なお、本実施の形態に係る携帯電話機１０では、制御部１１５は、着信中に、「特定の条件１」のもとでイルミネーション１１７Ａが消灯された後、条件（５）「携帯電話機１０が閉じ状態」であると判定すると、携帯電話機１０の電源を自動的にオフにしても良い。これにより、通常の「終話」キー３１の長押し操作に要する時間に比べて、短時間で電源をオフにできるため、周囲の注意を引きにくい。さらに、応答メッセージ生成部１１９は、制御部１１５が前述した条件（５）の下で携帯電話機１０の電源を自動的にオフにする際、発信元に応答することができない旨の音声メッセージを自動的に生成し送信しても良い。
【００７２】
なお、本実施の形態に係る携帯電話機１０では、制御部１１５が、イルミネーション１１７Ａ、ディスプレイバックライト１１６Ａ、及びキーバックライト１１６Ｂが消灯された状態で、キー入力部１１２からの「通話」キー３２のキー押下操作を検出すると、制御部１１５は、全ての照明が消灯している状態で、保留状態から通話状態に切り替えても良い。これにより、夜間のキャンプ場、天体観測や蛍観察イベントなど、音声は気にならないが照明による発光が気になる場所でも、ユーザは通話することができる。
【００７３】
なお、本実施の形態に係る携帯電話機１０では、制御対象の照明のひとつであるイルミネーション１１７Ａは、上筐体４０の他方の面（表示面）４０Ｂに設けられているが、これに限らない。イルミネーション１１７Ａは、携帯電話機１０が閉じ状態で外部から見える箇所であれば、上筐体４０、下筐体２０、ヒンジ部５０のどの箇所へ設けても良い。
【００７４】
なお、本実施の形態に係る携帯電話機１０では、制御対象の照明として、イルミネーション１１７Ａ、ディスプレイバックライト１１６Ａ、キーバックライト１１６Ｂを例にとって説明したが、これに限らない。イルミネーション１１７Ａ、ディスプレイバックライト１１６Ａ、キーバックライト１１６Ｂ以外であっても、携帯電話機１０から外部を照らす照明のすべてを制御対象とすることが可能である。
【００７５】
なお、本実施の形態に係る携帯電話機１０では、「終話」キー３１を１回押下した場合にイルミネーション１１７Ａを消灯し、２回押下した場合にディスプレイバックライト１１６Ａ、キーバックライト１１６Ｂを消灯する構成としている。すなわち、携帯電話機１０の外面（他方の面４０Ｂ等）で発光する照明を優先的に消灯し、携帯電話機１０の操作に係る照明をそれよりも後に消灯するようにしている。このような制御を行っているのは、以下の理由による。
【００７６】
まず、イルミネーション１１７Ａ等を優先的に消灯するのは、外面で発光する照明は、周囲の他人の迷惑になる可能性が高く、かつ、装飾的な目的で設けられていることが多いためである。また、ディスプレイバックライト１１６Ａおよびキーバックライト１１６Ｂをそれよりも優先順位を落として消灯するのは、着信の中断、または、消灯したままで応答する処理等を行うためにディスプレイの表示およびキーの配置を確認する必要があるためである。なお、この観点からは、「終話」キー３１および「通話」キー３２の位置が確認できれば、上述した実施の形態の操作を行うことはできるため、ディスプレイバックライト１１６Ａ、および、キーバックライト１１６Ｂのうちこれらのキーと関係ない部分を１回目の押下の時点で消灯しても良い。なお、上述した音声は気にならないが照明による発光が気になる場所向けの操作を行わないのであれば、「通話」キー３２の配置が確認できなくとも特に問題はないので、「終話」キー３１のキーバックライトのみを点灯させるとしてもよい。
【００７７】
また、ディスプレイバックライト１１６Ａとキーバックライト１１６Ｂとの間でも消灯の優先順位を設けるとしても良いし、いずれか一方がイルミネーション１１７Ａと同時に消灯されるとしても良い。例えば、ユーザの操作性を担保する観点からは、ディスプレイバックライト１１６Ａよりもキーバックライト１１６Ｂの方が重要であるため、キーバックライト１１６Ｂの方を消灯しにくくすること等が考えられる。
【００７８】
また、照明による周囲の迷惑の防止を重視するのであれば、「終話」キー３１が１回押下された時点で、全てのイルミネーションおよびバックライトを消灯するとしてもよい。
【００７９】
なお、本実施の形態では、応答メッセージ生成部１１９は、着信中特定の条件１のもと、制御部１１５からの指示に基づき、保留応答のメッセージを生成して発信元へ送信し、その後、２回目の「終話」キー３１のキー押下操作が制御部１１５により判定されると、イルミネーション制御部１１７がイルミネーション１１７Ａを消灯する制御を行っても良い。
【００８０】
なお、本実施の形態では、特定の条件１のもと、制御部１１５からの指示に基づき、１度に、イルミネーション制御部１１７がイルミネーション１１７Ａを消灯し、バックライト制御部１１６がディスプレイバックライト１１６Ａ、キーバックライト１１６Ｂのすべての照明を消灯する制御を行っても良い。
【００８１】
また、本実施の形態では、折り畳み型の携帯電話機を例として説明したがこれに限られるものではない。ＰＤＡやゲーム機、ＰＣ等、キーもしくはディスプレイにバックライトを用いる電子機器であれば、他の電子機器に対しても上述した実施の形態は適用できる。また、その形状も折り畳み型に限るものではなく、スライド型やストレート型にも本実施の形態は適用できる。スライド型の場合は、キー入力が可能となる状態の例として、表示筐体に覆われているキーを露出させるためにスライドさせることなどが考えられる。またストレート型の場合には、スリープ状態の解除等が、キー入力が可能となる状態の例として挙げられる。なお、スリープ状態の解除等は、ストレート型に限らず折り畳み型やスライド型でも発生しうるので、これらの形状の場合にもキー入力が可能となる状態の例の１つに該当する。
【００８２】
また、本実施の形態では、表示部およびキーは背面に備えられたディスプレイバックライト１１６Ａおよびキーバックライト１１６Ｂによって照らされるものとしたが、これに限るものではない。本実施の形態の技術は、例えば、表示部が有機ＥＬなどのバックライトを必要としない素子で構成されていたり、キー自体が発光したりする場合のように、バックライトを用いる必要がない例にも適用可能である。この場合、バックライトではなく表示部もしくはキー自体が消灯される。すなわち、表示部およびキー自体が、ディスプレイバックライト１１６Ａおよびキーバックライト１１６Ｂに相当する。
【００８３】
また、本実施の形態では、消灯に用いるキーとして「終話」キー３１を用いたがこれに限られるものではない。例えば、「通話」キー３２が押下された場合に消灯するとしてもよい。これは、通常、通話中のユーザは携帯端末を耳に当てている場合が多く、照明を点灯する意味が薄いためである。このような構成は、例えば、上述したような音声は気にならないが発光が気になる場合に有効である。
【００８４】
また、本実施の形態では、イルミネーション１１７Ａの消灯と、ディスプレイバックライト１１６Ａおよびキーバックライト１１６Ｂの消灯において、どちらも同じ操作（「終話」キー３１を押下する）であったが、これに限られるものではない。例えば、「終話」キー３１を押下するとイルミネーション１１７Ａを消灯し、更に長押しするとディスプレイバックライト１１６Ａおよびキーバックライト１１６Ｂを消灯するとしてもよい。この場合、誤って消灯してしまってもユーザの操作性に影響の少ない照明は即座に消灯する一方、影響の大きい照明については誤って消灯しにくくすることができる。なお、消灯の操作はこれに限られるものではない。イルミネーション１１７Ａの消灯が、ディスプレイバックライト１１６Ａおよび／またはキーバックライト１１６Ｂの消灯よりも優先して行われるのであれば、どのようなものであってもよい。例えば、本実施の形態に記載しているもののように、イルミネーション１１７Ａの消灯の操作を経なくては、ディスプレイバックライト１１６Ａおよび／またはキーバックライト１１６Ｂの消灯の操作ができないような操作体系とすることなどが考えられる。
【００８５】
また、上記実施の形態では、応答メッセージを生成して送信していたが、これに限られるものではない。予め記憶しておいた応答メッセージを送信するとしてもよいし、携帯端末自身が応答メッセージ自体を送信するのではなく応答メッセージを記憶しているサーバ等に対して指示を出す形で応答メッセージを間接的に送信するとしてもよい。
【００８６】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００８７】
また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。
【００８８】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【産業上の利用可能性】
【００８９】
本発明に係る携帯端末および携帯電話機は、特別な事前設定なしに、特定キーのキー入力に基づき着信時に点灯する照明を素早く消灯することができるという、効果を有し、携帯電話機等として有用である。
【符号の説明】
【００９０】
１０      携帯電話機
２０      下筐体
３１      「終話」キー
３２      「通話」キー
４０      上筐体
５０      ヒンジ部
１１１    無線通信部
１１２    キー入力部
１１３    周囲光検出部
１１４    筐体開閉検出部
１１５    制御部
１１６    バックライト制御部
１１６Ａ  ディスプレイバックライト
１１６Ｂ  キーバックライト
１１７    イルミネーション制御部
１１７Ａ  イルミネーション
１１９    応答メッセージ生成部
【図１】
2012065183.tif 000003
【図２】
2012065183.tif 000004
【図３】
2012065183.tif 000005